(57)【要約】      （修正有）【課題】電源オン時に嗜好番組を表示するか、番組表を表示するかが自動で設定可能であり、視聴開始時の番組選択の時間短縮と操作の簡略化による利便性の向上を図った電子機器を提供する。【解決手段】番組表を生成し表示可能な電子機器において、番組の視聴回数や視聴時間からユーザの嗜好番組を判断し、電子機器の電源オン時の時刻によって、ユーザの嗜好番組の放送時間内であれば嗜好番組のチャンネルを表示する。嗜好番組の放送時間内でない場合、または嗜好番組が無いと判断された場合に番組表を表示する事で、電源オンからの嗜好番組の視聴の時間短縮及び操作の簡略化による利便性の向上を図る。【選択図】図１
0003167369.tif 000002
【実用新案登録請求の範囲】
【請求項１】
放送信号を受信する受信部と、前記放送信号に含まれる番組情報を用いて番組表を生成する番組表生成部と、番組の視聴回数及びまたは視聴時間を測定する測定部と、前記測定部の結果により嗜好番組を判断する嗜好番組判断部を備えた電子機器において、電源オン時に前記嗜好番組判断部の結果に応じて嗜好番組または前記番組表を表示する事を特徴とする電子機器。
【請求項２】
前記番組は、前記測定部の視聴回数及びまたは視聴時間の測定結果により前記嗜好番組判断部で判断された嗜好番組であって、前記嗜好番組の放送時間と電源オン時の時刻とを比較する比較部を備え、前記比較部によって、電源オン時の時刻が前記放送時間の時間帯と判断された場合、前記嗜好番組を表示し、前記時間帯では無いと判断された場合、前記番組表を表示する事を特徴とする請求項１に記載の電子機器。
【請求項３】
前記嗜好番組は、前記測定部によって測定される所定期間中の最も多い視聴回数の番組及びまたは最も長い視聴時間の番組である事を特徴とする請求項１〜２に記載の電子機器。
【請求項４】
放送信号を受信する受信部と、前記放送信号に含まれる番組情報を用いて番組表を生成する番組表生成部と、番組の視聴回数及びまたは視聴時間を測定する測定部と、前記測定部の結果により嗜好番組を判断する嗜好番組判断部と、電源オン時に前記嗜好番組判断部の結果に応じて嗜好番組または前記番組表の表示を切り替える表示切り替え機能と、電源オン時に電源オフ直前に視聴していた番組を表示するラストチャンネルメモリ機能を備え、電源オン時に前記嗜好番組または前記番組表を表示する表示切り替え機能か、ラストチャンネルメモリ機能のいずれか一方の機能を選択可能とした事を特徴とする請求項１〜３に記載の電子機器。
【考案の詳細な説明】
【技術分野】
【０００１】
本考案は、放送信号から取得した番組情報を用いて作成した電子番組表を表示可能とする電子機器に関する。
【背景技術】
【０００２】
放送信号から取得した番組情報を用いて電子番組表（ＥＰＧ：Ｅｌｅｃｔｒｏｎｉｃ  Ｐｒｏｇｒａｍ  Ｇｕｉｄｅ：以下、番組表）が生成可能な放送受信装置や記録再生装置、移動体通信機器、その他番組表の生成可能な電子機器において、番組表は放送時間に対応した番組が各々表示され、番組毎に番組名、番組内容、放送時間、出演者等の番組情報が表示される。そしてカーソルを希望の番組の位置まで移動し選択することで、選択した番組の視聴予約、録画予約、番組の詳細確認が可能となる為、チャンネルや時刻を入力する方法に比べて簡単で便利な番組表は多くの電子機器で利用されている。
【０００３】
番組表は視聴予約や録画予約、番組内容の確認だけでなく、番組を視聴する時、現在どのような番組が放送されているか番組表を表示して確認し、その番組表から任意の番組を選択して視聴を開始することも可能であり、そのようなユーザの使用方法も多く、新聞やテレビ情報の雑誌で番組を確認するわずらわしさもなく便利である。そこで電子機器の電源オン時に番組表が表示されれば、番組を選択して視聴する場合には番組表を表示する操作も不要で、直ぐ番組を探す事が可能となり使い勝手は向上する。
【０００４】
特許文献１のデジタル放送受信装置では、電源オンの日時に対応して記憶しておいた番組表を生成し、電源オン時にその番組表を表示する事や、電源オン時にユーザ嗜好のチャンネルの番組表を表示する事で、ユーザの利便性を向上させた事を特徴としている。
【０００５】
特許文献２の装置においては、所定時間帯のチャンネルにおいて所定時間以上の視聴に対応して視聴履歴情報を生成し、視聴履歴情報に基づき録画を行うことで、日常的に視聴や録画を行う番組の視聴忘れまたは録画忘れ防止が行える事を特徴としている。
【０００６】
特許文献３の表示装置は、放送時間に対する視聴時間の比率によって推薦番組を決定し、装置の起動時に決定された推薦番組を選択可能とした事で、複数の番組の中から、ユーザの嗜好する番組の迅速かつ容易な視聴を可能とする事を特徴としている。
【０００７】
【特許文献１】特開２００３−１６３８５４号公報
【特許文献２】特開２００２−１１２１２６号公報
【特許文献３】特開２００６−２８７８５５号公報
【考案の概要】
【考案が解決しようとする課題】
【０００８】
特許文献１の表示方法は、電源オンする度に番組表が表示されることがわずらわしく感じるユーザもおり、表示しない場合への切り替えが出来ない。また予め見たい番組が決まっていれば直ぐにその番組が表示され視聴開始する方がユーザにとっては便利である。
【０００９】
特許文献２の装置は、視聴忘れや録画忘れを防止するための視聴時間や録画時間を履歴情報とすることであり、履歴情報によってユーザの嗜好は判断可能であるが、その履歴情報を用いて電源オン時の番組と番組表の表示切り替えを可能とし、時間短縮や操作の簡略化を図った方法ではない。
【００１０】
特許文献３の表示装置は、放送時間に対する視聴時間の比率によって推薦番組を決定して現在の時刻での推薦番組を表示しているが、ユーザが特に嗜好しない番組も時間帯によっては表示することになり、その場合ユーザはチャンネルを切り替えて嗜好番組を表示するか、番組表を表示して任意の番組を選択して切り替える事になる為、必ずしも利便性が向上されたとはいえない。
【００１１】
本考案の目的は、番組表が表示可能な電子機器において、ユーザの嗜好番組を視聴回数及びまたは視聴時間で判断し、電源オン時に嗜好番組を表示するか、番組表を表示するかを設定可能とする事で、電子機器の電源オン時において、ユーザが目的の番組を視聴するまでの時間短縮及び操作の簡略化による利便性の向上を目的とする。
【００１２】
視聴回数とは、番組が選択された回数を示す。そして選択された番組を視聴しているか否かについては、番組選択後、所定時間を設定し、その時間を超えた場合に視聴したものとみなして回数をカウントする。例えば所定時間を３０秒と設定し、番組選択後、選択したチャンネルのまま所定時間３０秒が経過すれば、そのチャンネルの番組を視聴したとして視聴回数をカウントし、所定時間３０秒未満であれば視聴とはみなさず視聴回数にカウントしないとすればよい。また番組確認の為に切り替えられ表示された場合を回数にカウントしてもよい。視聴時間は、番組がチャンネル操作で選択され、番組が表示されてから他のチャンネルへの切り替え操作や外部入力への切り替え操作、電源オフの操作により視聴している番組が切り替えられるまでの時間を測定し、その時間を示す。視聴時間は番組毎に測定し累積した時間を利用するが、番組に関係なく電源オン時から電源オフまでの時間を測定した時間も記憶してもよい。番組毎に総視聴時間に対する番組の視聴時間の割合を算出し、その割合を視聴時間とする場合に利用可能となる。
【課題を解決するための手段】
【００１３】
請求項１に係る電子機器は、放送信号を受信する受信部と、放送信号に含まれる番組情報を用いて番組表を生成する番組表生成部と、番組の視聴回数及びまたは視聴時間を測定する測定部と、測定部の結果により嗜好番組を判断する嗜好番組判断部を備えた電子機器において、電源オン時に嗜好番組判断部の結果に応じて番組または番組表を表示する事を特徴とする。
【００１４】
請求項２に係る電子機器は、請求項１に記載の電子機器であって、番組は、測定部の視聴回数及びまたは視聴時間の測定結果により嗜好番組判断部で判断された嗜好番組であって、嗜好番組の放送時間と電源オン時の時刻とを比較する比較部を備え、比較部によって、電源オン時の時刻が放送時間内と判断された場合、嗜好番組を表示し、放送時間内ではないと判断された場合、番組表を表示する事を特徴とする。
【００１５】
請求項３に係る電子機器は、請求項１または請求項２の何れか１項に記載の電子機器であって、嗜好番組は、測定部によって測定される所定期間中の最も多い視聴回数の番組及びまたは最も長い視聴時間の番組である事を特徴とする。
【００１６】
請求項４に係る電子機器は、請求項１から請求項３の何れか１項に記載の電子機器であって、放送信号を受信する受信部と、放送信号に含まれる番組情報を用いて番組表を生成する番組表生成部と、番組の視聴回数及びまたは視聴時間を測定する測定部と、測定部の結果により嗜好番組を判断する嗜好番組判断部と、電源オン時に嗜好番組判断部の結果に応じて嗜好番組または番組表の表示を切り替える表示切り替え機能と、電源オン時に電源オフ直前に視聴していた番組を表示するラストチャンネルメモリ機能を備え、電源オン時に嗜好番組または番組表を表示する表示切り替え機能か、ラストチャンネルメモリ機能のいずれか一方の機能を選択可能とした事を特徴とする。
【考案の効果】
【００１７】
請求項１の考案によれば、番組の視聴回数や視聴時間によってユーザの嗜好番組を判断し、電子機器の電源オン時にはその判断結果に応じて嗜好番組または番組表を表示可能とすることで、電源オン時に嗜好番組から表示して視聴開始とするか、番組表を表示してから番組を選択し視聴開始するかのいずれかが可能であり、電源オン時の画面の表示が、ユーザの番組の視聴状況に応じて切り替え可能となる為、番組視聴開始の時間短縮や操作の簡略化による利便性の向上が図れる。
【００１８】
請求項２の考案によれば、番組の視聴回数及びまたは視聴時間を測定し、視聴回数及びまたは視聴時間によってユーザの嗜好番組が判断出来、電源オン時の時刻と嗜好番組の放送時間を比較し、電源オン時が嗜好番組の放送時間内であれば嗜好番組を表示して、直ぐ嗜好番組の視聴を可能とし、嗜好番組の放送時間内ではない場合は番組表を表示することで、どのような番組があるか等の確認と番組の選択が直ぐに行え、番組を切り替える為のチャンネル操作を行わなくてよく、番組視聴開始の時間短縮や操作の簡略化による利便性の向上が図れる。
【００１９】
請求項３の考案によれば、ユーザの嗜好番組を、電子機器の使用時に番組毎に視聴回数及びまたは視聴時間を累積して測定し、視聴回数の最も多い番組、または視聴時間の最も長い番組、または視聴回数と視聴時間の両方が最も多い番組を嗜好番組と判断することで、ユーザは嗜好番組の測定や判断の意識をしなくても電子機器の通常使用で測定し嗜好番組の判断が可能となる。
【００２０】
請求項４の考案によれば、電源オン時に嗜好番組を表示するか番組表を表示するかの表示切り替え機能を解除し、電源オン時に電源オフ直前に表示していたチャンネルから表示が開始できるラストチャンネル機能とする事が出来る。そうすれば、電源オン時に番組表を表示する事がわずらわしいと感じるユーザにも対応した電子機器を提供できる。
【００２１】
以上ように電子機器の電源オン時に嗜好番組を表示するか、番組表を表示するかを、ユーザの嗜好番組を判断して表示可能とする事で、ユーザの嗜好番組が放送されている時刻には嗜好番組から視聴を開始させ、嗜好番組が放送されていない場合には番組表を表示し、視聴番組を選択可能な状態から開始させる事で、番組視聴開始までの時間短縮や操作の簡略化による利便性の向上が図れる。また、番組表を表示することがわずらわしい場合には、嗜好番組を表示するか番組表を表示するかの表示切り替え機能を、電源オフ直前に視聴していたチャンネルから視聴可能なラストチャンネルメモリ機能にする事が可能であり、ユーザの使い勝手に対応した設定が可能となり、ユーザフレンドリな電子機器が実現出来る。
【図面の簡単な説明】
【００２２】
【図１】本考案の実施例におけるブロック図である。
【図２】本考案の実施例における従来技術の番組を表示した状態である。
【図３】本考案の実施例における番組表の表示である。
【図４】本考案の実施例における従来技術の電源オフ直前の番組を表示する動作図である。
【図５】本考案の実施例における嗜好番組または番組表を表示した図である。
【図６】本考案の実施例における嗜好番組設定例である。
【図７】本考案の実施例における嗜好番組テーブル例である。
【図８】本考案の実施例におけるフローチャート図である。
【考案を実施するための形態】
【００２３】
図１から図８を参照して本考案の実施形態を説明する。なお、本考案はその主旨に反しない範囲で、実施例において説明した構成以外に対しても適用可能である。
【００２４】
図２と図３は本考案の従来技術を示す。リモコンや本体の電源キー操作による電源オン時には電源オフ直前に視聴していたチャンネルの番組が表示されており、この機能がラストチャンネルメモリ機能である。そしてユーザは図２で示すように表示されたチャンネルの番組をそのまま視聴するか、リモコン等のチャンネル切り替え操作で視聴したいチャンネルに切り替えるか、図３で示すような番組表３０を表示し、番組表３０で視聴したい番組を探して選択し、視聴するかのいずれかを選択する必要がある。
【００２５】
図４は１０チャンネルの番組を視聴し電源オフ後、電源オンさせた場合の画面の状態表示であり、電源オン時は電源オフ直前に視聴していた１０チャンネルの番組を表示している。しかし電源オフ直前に視聴していたチャンネルと電源オン時にユーザが視聴したいチャンネルが一致するとは限らず、その場合は視聴したいチャンネルに切り替える操作が必要となる。視聴したいチャンネルを覚えていればチャンネルの切り替え操作だけでよいが、視聴したい番組のチャンネルを覚えていない場合や、放送されている他のチャンネルの番組を確認する場合は、番組表を表示させて視聴したい番組を選択する操作が必要である。
【００２６】
また電源オン時、直ぐに番組表を表示させる操作を行った場合、電源オフ直前に視聴していたチャンネルと電源オン時にユーザが視聴したいチャンネルが一致していたなら、一端番組表を表示する事がわずらわしく感じてしまう。そこで本考案は、電源オン時においてユーザの嗜好番組の放送時間内であればその嗜好番組を表示し、嗜好番組の放送時間内でなければ番組表を表示することで、番組視聴の操作時間短縮と操作の簡略化による利便性の向上を図っている。
【００２７】
図１は、本考案の電子機器１３の実施例におけるブロック図であり、同図で示すように、受信部１と、デコーダ２、制御部３、番組情報処理部４、番組表生成部５、測定部６、嗜好番組判断部７、表示制御部８、比較部９、リモコン操作部１０、記憶部１１、表示部１２で構成される。
【００２８】
リモコン操作部１０は、視聴する番組のチャンネル切り替え操作や番組表３０の表示操作、番組表３０の番組枠を色分けして強調表示したカーソルを番組表３０にて移動させる移動操作、電子機器１３の電源オン、オフの操作等が可能であり、各操作に応じて信号を送出する。制御部３はリモコン操作部１０から送信された信号を判別し操作に応じて電子機器１３の各動作、各処理等の制御を行っている。
【００２９】
受信部１は、アンテナ等を介して放送信号を受信し、受信された放送信号は各チャンネルに選局され、選局された各チャンネルは、その周波数とともにメモリ等の記憶部１１に記憶される。
【００３０】
デコーダ２は、受信部１で受信した放送信号を複調して、圧縮符号化された複数の番組の映像と音声、及び番組情報等の信号が多重化されたトランスポートストリーム（Ｔｒａｎｓｐｏｒｔ  Ｓｔｒｅｅｍ：以下ＴＳ）信号を生成する。そしてデコーダ２はこのＴＳ信号から選局済チャンネルの番組の映像信号と音声信号、番組情報を分離抽出し、番組情報を番組情報処理部４に出力する。
【００３１】
制御部３は、リモコン操作部１０から送信され受光部１４からの信号を判別し操作に応じて電子機器１３の各動作、各処理等の制御を行っている。本考案における受信部１、デコーダ２の各制御や以下に示す、番組情報処理部４、番組表生成部５、測定部６、嗜好番組判断部７、表示制御部８、比較部９、記憶部１１等の各制御を行っている。
【００３２】
番組情報処理部４は、受信された全てのチャンネルの番組情報を抽出し、Ｅｖｅｎｔ  Ｉｎｆｏｒｍａｔｉｏｎ  Ｔａｂｌｅ（以下ＥＩＴ）情報を抽出する。ＥＩＴはチャンネルの番組内容、放送の開始時刻と終了時刻間等の日時、タイトルや出演者等の番組に関する情報である。他に現在時刻情報であるＴＤＴ（Ｔｉｍｅ  ａｎｄ  Ｄａｔｅ  Ｔａｂｌｅ）情報等も存在する。
【００３３】
番組表生成部５は、リモコン操作部１０にて番組表３０の表示操作が行われると、全てのチャンネルを順次受信し、放送信号に含まれる番組情報であるＥＩＴを取得し、ＥＩＴに含まれる情報の各チャンネルと番組の番組名や放送時間を対応付けて番組表３０を生成する。
【００３４】
測定部６は、電子機器１３の電源オン時、ラストチャンネルメモリのチャンネルである現在受信しているチャンネル番組を認識し、その番組の視聴回数をカウントする。またその番組の視聴時間も測定し累積していく。この視聴回数と視聴時間は嗜好番組テーブル７０を生成して記憶部１１に記憶する。この嗜好番組テーブル７０は受信可能な全てのチャンネル毎に記憶され、視聴回数７４と視聴時間７５の累積については、電子機器１３を使用する期間を設定しデータを累積してもよいし、使用開始から電源オンし電源オフされる毎に視聴回数と視聴時間を累積してもよい。
【００３５】
嗜好番組判断部７は、測定部６で生成された嗜好番組テーブル７０を参照して、その累積された結果から、各チャンネルの番組において、視聴回数７４と視聴時間７５で各々設定された閾値を超える視聴回数の多い番組、視聴時間の長い番組をユーザの嗜好番組として判断し、嗜好番組フラグ７７をオンさせることで嗜好番組と設定される。嗜好番組フラグ７７のオン／オフの結果は嗜好番組テーブル７０に記憶しておけば、電源オン時に嗜好フラグの状態を確認するだけで嗜好番組が判断出来、フラグがオンであれば嗜好番組であり、フラグがオフであれば嗜好番組ではない。嗜好番組テーブル７０は視聴回数７４や視聴時間７５の多い順にランク付けも可能であり、多い順に嗜好番組テーブル７０を並び替えることも可能である。この嗜好番組判断部７の嗜好番組の判断は電子機器１３の電源オフ時に次回の電源オンまでに生成する。従って、嗜好番組の判断は電源オン前までの嗜好番組テーブル７０を参照することになるが、電源オン時に記憶部１１から視聴回数及び視聴時間を読み出し、表示された番組も視聴回数に累積して嗜好番組テーブル７０を生成し、その嗜好番組テーブル７０を参照してもよい。視聴回数７４及びまたは視聴時間７５の閾値によって嗜好番組を判断しているが、閾値を設定せず単に各時刻で視聴回数の多い番組や視聴時間の長い番組を嗜好番組とする事も可能である。
【００３６】
表示制御部８は、比較部９からの比較結果によって、電源オン時に嗜好番組を表示するか、番組表３０を表示するかの制御を行う。またデコーダ２から出力された映像信号に、番組表生成部５で生成された番組表３０や、チャンネル番号、メニュ表示等のオンスクリーン（Ｏｎ  Ｓｃｒｅｅｎ  Ｄａｔａ：以下ＯＳＤ）表示を重ねて表示部１２に表示する制御も行う。
【００３７】
比較部９は、電子機器１３がリモコン操作部１０の操作によって電源オンされた場合、嗜好番組判断部７が入手した電源オン時の時刻情報と嗜好番組の放送時刻を比較し、電源オン時の時刻情報が放送中か否かを判断する。
【００３８】
ここで表示制御部８と比較部９の動作について説明する。電子機器１３の電源オン時に、先ず嗜好番組判断部７が番組情報処理部４より現在の時刻情報を入手し、嗜好番組テーブル７０に嗜好番組フラグ７７がオンの嗜好番組が有るかを判断する。嗜好番組が有ればその嗜好番組の放送時間の情報と入手した電源オン時の時刻情報を比較部９にて比較する。そして時刻情報が嗜好番組の放送中であれば、嗜好番組判断部７は、電源オン時の番組が嗜好番組であると判断し、その判断結果を表示制御部８に伝達する。放送時間とは番組の開始時刻から終了時刻までの時間帯を示す。従って放送時間内とは番組の開始時刻から終了時刻までの間の時間を示す。表示制御部８はその伝達された結果により嗜好番組を表示する。しかし、嗜好番組の有無の判断において嗜好番組が無い場合や、また嗜好番組は有るが、比較部９の比較結果により電源オン時の時刻情報が嗜好番組の放送時間内でない場合、嗜好番組判断部７はどちらも電源オン時の番組が嗜好番組ではないと判断し、その判断結果を表示制御部８に伝達する。表示制御部８はその伝達された結果により番組表３０を表示する。
【００３９】
記憶部１１は、図７で示す嗜好番組テーブル７０を記憶する。嗜好番組テーブル７０には嗜好番組に関する情報としてチャンネル番号７１、放送時間７３、視聴回数７４、視聴時間７５、嗜好番組フラグ７７等が記憶される。また番組表３０や選局済のチャンネル、映像調整等の各調整値やユーザの設定値、電子機器１３の初期設定等も記憶している。
【００４０】
表示部１２は、液晶、プラズマ、有機ＥＬ、ブラウン管等の表示装置や記録再生装置との一体型表示装置、外部接続機器等、映像表示が可能な電子機器であれば何でもよい。
【００４１】
図５は、実施例における電源オン時に嗜好番組を表示した場合、番組表３０を表示した場合を示し、図６は、メニュ６０に電源オン時の表示切り替え設定を可能とする表示モードの項目とその設定方法を示す。この表示モードをオンにすれば図５で示すような電源オン時に嗜好番組または番組表３０を表示する表示モードが設定でき、表示モードをオフにすれば図４で示すように電源オン時は電源オフ直前に視聴していたチャンネルの番組を表示するモードとなる。また表示モードオン／オフの設定以外に視聴回数７４や視聴時間７５を測定し累積する期間の設定も行え、期間を１週間若しくは１ヶ月と設定出来、例えば１週間と設定すれば、設定した日または任意の指定日から設定期間の１週間における番組の視聴回数７４や視聴時間７５を測定する。ユーザが電子機器１３を電源オン操作で電源オンし、チャンネルを選択し、選択したチャンネルの番組を視聴する毎に、番組毎の視聴回数７４及びまたは視聴時間７５を測定し、累積していく。この視聴回数７４と視聴時間７５は嗜好番組テーブル７０に記憶され、この嗜好番組テーブル７０は記憶部１１に記憶される。さらに嗜好番組の閾値が設定可能であり、例えば、視聴回数１０回、視聴時間１０時間と設定する。この閾値も嗜好番組テーブル７０に記憶され、電子機器１３の電源オン時に嗜好番組判断部７が閾値を超えた番組を嗜好番組と判断し、電源オン時の時刻情報と嗜好番組の放送時間を比較し、放送時間内であれば嗜好番組を表示し、放送時間内でない場合と嗜好番組が無い場合に番組表３０を表示する。嗜好番組の判断は電子機器１３の電源オフの期間中に行っておけばよい。
【００４２】
図７の嗜好番組テーブル７０について詳細を説明する。嗜好番組テーブル７０は嗜好番組のチャンネル７１、嗜好番組の番組名７２、嗜好番組の放送時間７３、視聴回数７４、視聴時間７５、ランク７６、嗜好番組フラグ７７、嗜好番組設定値７８の各データで構成され、嗜好番組のチャンネル７１や番組名７２、放送時間７３等は番組情報処理部４より入手可能である。視聴回数７４や視聴時間７５は測定部６で測定し累積される。
【００４３】
ランク７６は、最も多い視聴回数７４と視聴時間７５からユーザの嗜好が高いと判断した番組から順にランク付けを行う。このランク付けによってランクの順に嗜好番組テーブル７０を構成し、嗜好番組の判断に利用してもよい。ランク７６の付加方法についても、視聴回数７４の最も多い番組や視聴時間７５の最も長い番組、または視聴回数７４と視聴時間７５を組み合わせて両方で上位にランクされる番組、予約回数の多い番組等適宜変更可能であり、ユーザの使用態様にあわせて選択する方法でもよい。
【００４４】
嗜好番組フラグ７７は、視聴回数７４及びまたは視聴時間７５の閾値を超えて嗜好番組と判断された番組がフラグオンされる。電源オン時にこの嗜好番組フラグ７７のオン／オフ確認だけで嗜好番組を判断可能とする為、嗜好フラグが設定される。フラグがオンであれば嗜好番組と判断し、その放送時間を入手し、フラグがオフであれば嗜好番組でないと判断が直ぐに行え、電源オン時において視聴回数７４及びまたは視聴時間７５を参照して嗜好番組の判断から行わなくてよい。
【００４５】
視聴回数７４及びまたは視聴時間７５が測定されると嗜好番組テーブル７０にその視聴回数７４と視聴時間７５が記憶されるが、嗜好番組判断部７がその記憶された視聴回数７４及びまたは視聴時間７５により嗜好番組を判断すると、制御部３より嗜好番組のチャンネルを判断し、番組情報処理部４から判断したチャンネルの番組名、放送時間等の各情報を入手し嗜好番組テーブル７０に記憶しておく。そうすれば電源オン時の時刻情報と放送時間７３の比較が可能であり、嗜好番組のチャンネル７１も記憶している為、嗜好番組テーブル７０の参照だけで、迅速なチャンネル切り替えが可能となる。
【００４６】
嗜好番組設定値７８は、嗜好番組を判断する為の閾値が記憶される。閾値の設定は、図６で示すようにユーザがメニュ６０の項目を選択し設定する。設定値は視聴回数７４と視聴時間７５で各々設定され記憶されるが、ユーザが設定しない場合、初期値を設定しておけばよい。閾値の設定について、放送時間毎に最も多い視聴回数７４及びまたは視聴時間７５の番組を嗜好番組と判断してしまうと、全ての時間で電源オン時には嗜好番組が表示されてしまう。すなわち、放送時間によっては、視聴回数７４及びまたは視聴時間７５が多くても他の放送時間より少なく嗜好番組でない場合があり、その場合は番組表３０を表示させる為に閾値を設定し閾値を超えた番組を嗜好番組としている。
【００４７】
以上のように電源オン入時に嗜好番組を表示するか、番組表３０を表示するかを、ユーザの電子機器１３の使用態様によって設定出来る為、番組視聴開始の時間短縮や操作の簡略化による利便性の向上が図れる。
【００４８】
図８は、本考案の実施例におけるフローチャート図である。同図に示すように、電源操作によって電源オン（ｓ−１）されると、番組情報処理部４から現在の時刻情報を入手する（ｓ−２）。そして嗜好番組テーブルを参照し（ｓ−３）、嗜好番組の有無を確認する（ｓ−４）。嗜好番組が有れば（ｓ−４：Ｙｅｓ）、その嗜好番組の嗜好番組テーブルの放送時間を入手し（ｓ−５）、電源オン時の時刻情報と放送時間を比較する（ｓ−６）。比較の結果、時刻情報が放送時間内であれば（ｓ−７：Ｙｅｓ）、電源オン時に嗜好番組有りとして嗜好番組を表示する（ｓ−８）。時刻情報が放送時間内でない（ｓ−７：Ｎｏ）場合と、嗜好番組が無い場合（ｓ−４：Ｎｏ）、番組表を表示する（ｓ−９）。番組表の表示後はユーザが希望するチャンネルが選択され表示される（ｓ−１０）。これにより、電源オン時に嗜好番組か否かを判断し、嗜好番組が有れば嗜好番組を表示し、嗜好番組が無ければ番組表を表示され、ユーザはそのまま番組視聴するか、番組表で希望の番組を選択するだけでよい。尚、電源オン時、嗜好番組を表示した場合も、番組表が表示され、希望のチャンネルを選択した場合も今後の嗜好番組の判断の為の視聴回数及びまたは視聴時間を測定し記憶しておけばよい（ｓ−１１）。
【００４９】
なお、本考案の電子機器において、嗜好番組判断の方法や嗜好番組や番組表の表示方法は適宜変更可能であり、本実施例に限定するものではなく、本考案の主旨に反しない範囲において適宜選定すればよい。
【符号の説明】
【００５０】
１  受信部
２  デコーダ
３  制御部
４  番組情報処理部
５  番組表生成部
６  測定部
７  嗜好番組判断部
８  表示制御部
９  比較部
１０  リモコン操作部
１１  記憶部
１２  表示部
１３  電子機器
３０  番組表
６０、６１  メニュ
７０  嗜好番組テーブル
７１  チャンネル
７２  番組名
７３  放送時間
７４  視聴回数
７５  視聴時間
７７  嗜好番組フラグ
７８  嗜好番組設定値
【図１】
0003167369.tif 000003
【図２】
0003167369.tif 000004
【図３】
0003167369.tif 000005
【図４】
0003167369.tif 000006
【図５】
0003167369.tif 000007
【図６】
0003167369.tif 000008
【図７】
0003167369.tif 000009
【図８】
0003167369.tif 000010
【手続補正書】
【提出日】平成23年2月14日(2011.2.14)
【手続補正１】
【補正対象書類名】実用新案登録請求の範囲
【補正対象項目名】全文
【補正方法】変更
【補正の内容】
【実用新案登録請求の範囲】
【請求項１】
放送信号を受信する受信部と、前記放送信号に含まれる番組情報を用いて番組表を生成する番組表生成部と、番組の視聴回数及びまたは視聴時間を測定し嗜好番組テーブルを生成する測定部と、前記測定部で生成された嗜好番組テーブルにより嗜好番組を判断する嗜好番組判断部を備えた電子機器において、前記嗜好番組テーブルは記憶部に記憶され、電源オン時に前記記憶部に記憶された前記嗜好番組テーブルを参照し、前記嗜好番組または前記番組表を表示する表示制御部を備えた事を特徴とする電子機器。
【請求項２】
前記嗜好番組判断部は、前記測定部の視聴回数及びまたは視聴時間の測定結果により生成された前記嗜好番組テーブルを参照して、前記嗜好番組と、前記嗜好番組の放送時間を判断し、電源オン時に前記番組情報から電源オン時の時刻情報を入手し、前記嗜好番組の放送時間と前記時刻情報を比較する比較部を備え、前記比較部によって、電源オン時の時刻情報が前記嗜好番組の放送時間帯と判断された場合、前記嗜好番組を表示し、前記嗜好番組の放送時間帯では無いと判断された場合、前記番組表を表示する表示制御部を備えた事を特徴とする請求項１に記載の電子機器。
【請求項３】
前記嗜好番組は、前記測定部によって測定される所定期間中の最も多い視聴回数の番組及びまたは最も長い視聴時間の番組である事を特徴とする請求項１または２に記載の電子機器。
【請求項４】
放送信号を受信する受信部と、前記放送信号に含まれる番組情報を用いて番組表を生成する番組表生成部と、番組の視聴回数及びまたは視聴時間を測定する測定部と、前記測定部の結果により嗜好番組を判断する嗜好番組判断部と、電源オン時に前記嗜好番組判断部の結果に応じて嗜好番組または前記番組表の表示を切り替える表示切り替え機能と、電源オン時に電源オフ直前に視聴していた番組を表示するラストチャンネルメモリ機能を備え、電源オン時に前記嗜好番組または前記番組表を表示する表示切り替え機能か、ラストチャンネルメモリ機能のいずれか一方の機能を選択可能とした事を特徴とする請求項１〜３のいずれか一項に記載の電子機器。
【手続補正２】
【補正対象書類名】明細書
【補正対象項目名】全文
【補正方法】変更
【補正の内容】
【考案の詳細な説明】
【技術分野】
【０００１】
本考案は、放送信号から取得した番組情報を用いて作成した電子番組表を表示可能とする電子機器に関する。
【背景技術】
【０００２】
放送信号から取得した番組情報を用いて電子番組表（ＥＰＧ：Ｅｌｅｃｔｒｏｎｉｃ  Ｐｒｏｇｒａｍ  Ｇｕｉｄｅ：以下、番組表）が生成可能な放送受信装置や記録再生装置、移動体通信機器、その他番組表の生成可能な電子機器において、番組表は放送時間に対応した番組が各々表示され、番組毎に番組名、番組内容、放送時間、出演者等の番組情報が表示される。そしてカーソルを希望の番組の位置まで移動し選択することで、選択した番組の視聴予約、録画予約、番組の詳細確認が可能となる為、チャンネルや時刻を入力する方法に比べて簡単で便利な番組表は多くの電子機器で利用されている。
【０００３】
番組表は視聴予約や録画予約、番組内容の確認だけでなく、番組を視聴する時、現在どのような番組が放送されているか番組表を表示して確認し、その番組表から任意の番組を選択して視聴を開始することも可能であり、そのようなユーザの使用方法も多く、新聞やテレビ情報の雑誌で番組を確認するわずらわしさもなく便利である。そこで電子機器の電源オン時に番組表が表示されれば、番組を選択して視聴する場合には番組表を表示する操作も不要で、直ぐ番組を探す事が可能となり使い勝手は向上する。
【０００４】
特許文献１のデジタル放送受信装置では、電源オンの日時に対応して記憶しておいた番組表を生成し、電源オン時にその番組表を表示する事や、電源オン時にユーザ嗜好のチャンネルの番組表を表示する事で、ユーザの利便性を向上させた事を特徴としている。
【０００５】
特許文献２の装置においては、所定時間帯のチャンネルにおいて所定時間以上の視聴に対応して視聴履歴情報を生成し、視聴履歴情報に基づき録画を行うことで、日常的に視聴や録画を行う番組の視聴忘れまたは録画忘れ防止が行える事を特徴としている。
【０００６】
特許文献３の表示装置は、放送時間に対する視聴時間の比率によって推薦番組を決定し、装置の起動時に決定された推薦番組を選択可能とした事で、複数の番組の中から、ユーザの嗜好する番組の迅速かつ容易な視聴を可能とする事を特徴としている。
【０００７】
【特許文献１】特開２００３−１６３８５４号公報
【特許文献２】特開２００２−１１２１２６号公報
【特許文献３】特開２００６−２８７８５５号公報
【考案の概要】
【考案が解決しようとする課題】
【０００８】
特許文献１の表示方法は、電源オンする度に番組表が表示されることがわずらわしく感じるユーザもおり、表示しない場合への切り替えが出来ない。また予め見たい番組が決まっていれば直ぐにその番組が表示され視聴開始する方がユーザにとっては便利である。
【０００９】
特許文献２の装置は、視聴忘れや録画忘れを防止するための視聴時間や録画時間を履歴情報とすることであり、履歴情報によってユーザの嗜好は判断可能であるが、その履歴情報を用いて電源オン時の番組と番組表の表示切り替えを可能とし、時間短縮や操作の簡略化を図った方法ではない。
【００１０】
特許文献３の表示装置は、放送時間に対する視聴時間の比率によって推薦番組を決定して現在の時刻での推薦番組を表示しているが、ユーザが特に嗜好しない番組も時間帯によっては表示することになり、その場合ユーザはチャンネルを切り替えて嗜好番組を表示するか、番組表を表示して任意の番組を選択して切り替える事になる為、必ずしも利便性が向上されたとはいえない。
【００１１】
本考案の目的は、番組表が表示可能な電子機器において、ユーザの嗜好番組を視聴回数及びまたは視聴時間で判断し、電源オン時に嗜好番組を表示するか、番組表を表示するかを設定可能とする事で、電子機器の電源オン時において、ユーザが目的の番組を視聴するまでの時間短縮及び操作の簡略化による利便性の向上を目的とする。
【００１２】
視聴回数とは、番組が選択された回数を示す。そして選択された番組を視聴しているか否かについては、番組選択後、所定時間を設定し、その時間を超えた場合に視聴したものとみなして回数をカウントする。例えば所定時間を３０秒と設定し、番組選択後、選択したチャンネルのまま所定時間３０秒が経過すれば、そのチャンネルの番組を視聴したとして視聴回数をカウントし、所定時間３０秒未満であれば視聴とはみなさず視聴回数にカウントしないとすればよい。また番組確認の為に切り替えられ表示された場合を回数にカウントしてもよい。視聴時間は、番組がチャンネル操作で選択され、番組が表示されてから他のチャンネルへの切り替え操作や外部入力への切り替え操作、電源オフの操作により視聴している番組が切り替えられるまでの時間を測定し、その時間を示す。視聴時間は番組毎に測定し累積した時間を利用するが、番組に関係なく電源オン時から電源オフまでの時間を測定した時間も記憶してもよい。番組毎に総視聴時間に対する番組の視聴時間の割合を算出し、その割合を視聴時間とする場合に利用可能となる。
【課題を解決するための手段】
【００１３】
請求項１に係る電子機器は、放送信号を受信する受信部と、前記放送信号に含まれる番組情報を用いて番組表を生成する番組表生成部と、番組の視聴回数及びまたは視聴時間を測定し嗜好番組テーブルを生成する測定部と、測定部で生成された嗜好番組テーブルにより嗜好番組を判断する嗜好番組判断部を備えた電子機器において、嗜好番組テーブルは記憶部に記憶され、電源オン時に記憶部に記憶された嗜好番組テーブルを参照し、嗜好番組または番組表を表示する表示制御部を備えた事を特徴とする。
【００１４】
請求項２に係る電子機器は、請求項１に記載の電子機器であって、嗜好番組判断部は、測定部の視聴回数及びまたは視聴時間の測定結果により生成された嗜好番組テーブルを参照して、嗜好番組と、嗜好番組の放送時間を判断し、電源オン時に番組情報から電源オン時の時刻情報を入手し、嗜好番組の放送時間と時刻情報を比較する比較部を備え、比較部によって、電源オン時の時刻情報が嗜好番組の放送時間帯と判断された場合、嗜好番組を表示し、嗜好番組の放送時間帯では無いと判断された場合、番組表を表示する表示制御部を備えた事を特徴とする。
【００１５】
請求項３に係る電子機器は、請求項１または請求項２の何れか１項に記載の電子機器であって、嗜好番組は、測定部によって測定される所定期間中の最も多い視聴回数の番組及びまたは最も長い視聴時間の番組である事を特徴とする。
【００１６】
請求項４に係る電子機器は、請求項１から請求項３の何れか１項に記載の電子機器であって、放送信号を受信する受信部と、放送信号に含まれる番組情報を用いて番組表を生成する番組表生成部と、番組の視聴回数及びまたは視聴時間を測定する測定部と、測定部の結果により嗜好番組を判断する嗜好番組判断部と、電源オン時に嗜好番組判断部の結果に応じて嗜好番組または番組表の表示を切り替える表示切り替え機能と、電源オン時に電源オフ直前に視聴していた番組を表示するラストチャンネルメモリ機能を備え、電源オン時に嗜好番組または番組表を表示する表示切り替え機能か、ラストチャンネルメモリ機能のいずれか一方の機能を選択可能とした事を特徴とする。
【考案の効果】
【００１７】
請求項１の考案によれば、番組の視聴回数や視聴時間によってユーザの嗜好番組を判断し、電子機器の電源オン時にはその判断結果に応じて嗜好番組または番組表を表示可能とすることで、電源オン時に嗜好番組から表示して視聴開始とするか、番組表を表示してから番組を選択し視聴開始するかのいずれかが可能であり、電源オン時の画面の表示が、ユーザの番組の視聴状況に応じて切り替え可能となる為、番組視聴開始の時間短縮や操作の簡略化による利便性の向上が図れる。
【００１８】
請求項２の考案によれば、番組の視聴回数及びまたは視聴時間を測定し、視聴回数及びまたは視聴時間によってユーザの嗜好番組が判断出来、電源オン時の時刻と嗜好番組の放送時間を比較し、電源オン時が嗜好番組の放送時間内であれば嗜好番組を表示して、直ぐ嗜好番組の視聴を可能とし、嗜好番組の放送時間内ではない場合は番組表を表示することで、どのような番組があるか等の確認と番組の選択が直ぐに行え、番組を切り替える為のチャンネル操作を行わなくてよく、番組視聴開始の時間短縮や操作の簡略化による利便性の向上が図れる。
【００１９】
請求項３の考案によれば、ユーザの嗜好番組を、電子機器の使用時に番組毎に視聴回数及びまたは視聴時間を累積して測定し、視聴回数の最も多い番組、または視聴時間の最も長い番組、または視聴回数と視聴時間の両方が最も多い番組を嗜好番組と判断することで、ユーザは嗜好番組の測定や判断の意識をしなくても電子機器の通常使用で測定し嗜好番組の判断が可能となる。
【００２０】
請求項４の考案によれば、電源オン時に嗜好番組を表示するか番組表を表示するかの表示切り替え機能を解除し、電源オン時に電源オフ直前に表示していたチャンネルから表示が開始できるラストチャンネル機能とする事が出来る。そうすれば、電源オン時に番組表を表示する事がわずらわしいと感じるユーザにも対応した電子機器を提供できる。
【００２１】
以上ように電子機器の電源オン時に嗜好番組を表示するか、番組表を表示するかを、ユーザの嗜好番組を判断して表示可能とする事で、ユーザの嗜好番組が放送されている時刻には嗜好番組から視聴を開始させ、嗜好番組が放送されていない場合には番組表を表示し、視聴番組を選択可能な状態から開始させる事で、番組視聴開始までの時間短縮や操作の簡略化による利便性の向上が図れる。また、番組表を表示することがわずらわしい場合には、嗜好番組を表示するか番組表を表示するかの表示切り替え機能を、電源オフ直前に視聴していたチャンネルから視聴可能なラストチャンネルメモリ機能にする事が可能であり、ユーザの使い勝手に対応した設定が可能となり、ユーザフレンドリな電子機器が実現出来る。
【図面の簡単な説明】
【００２２】
【図１】本考案の実施例におけるブロック図である。
【図２】本考案の実施例における従来技術の番組を表示した状態である。
【図３】本考案の実施例における番組表の表示である。
【図４】本考案の実施例における従来技術の電源オフ直前の番組を表示する動作図である。
【図５】本考案の実施例における嗜好番組または番組表を表示した図である。
【図６】本考案の実施例における嗜好番組設定例である。
【図７】本考案の実施例における嗜好番組テーブル例である。
【図８】本考案の実施例におけるフローチャート図である。
【考案を実施するための形態】
【００２３】
図１から図８を参照して本考案の実施形態を説明する。なお、本考案はその主旨に反しない範囲で、実施例において説明した構成以外に対しても適用可能である。
【００２４】
図２と図３は本考案の従来技術を示す。リモコンや本体の電源キー操作による電源オン時には電源オフ直前に視聴していたチャンネルの番組が表示されており、この機能がラストチャンネルメモリ機能である。そしてユーザは図２で示すように表示されたチャンネルの番組をそのまま視聴するか、リモコン等のチャンネル切り替え操作で視聴したいチャンネルに切り替えるか、図３で示すような番組表３０を表示し、番組表３０で視聴したい番組を探して選択し、視聴するかのいずれかを選択する必要がある。
【００２５】
図４は１０チャンネルの番組を視聴し電源オフ後、電源オンさせた場合の画面の状態表示であり、電源オン時は電源オフ直前に視聴していた１０チャンネルの番組を表示している。しかし電源オフ直前に視聴していたチャンネルと電源オン時にユーザが視聴したいチャンネルが一致するとは限らず、その場合は視聴したいチャンネルに切り替える操作が必要となる。視聴したいチャンネルを覚えていればチャンネルの切り替え操作だけでよいが、視聴したい番組のチャンネルを覚えていない場合や、放送されている他のチャンネルの番組を確認する場合は、番組表を表示させて視聴したい番組を選択する操作が必要である。
【００２６】
また電源オン時、直ぐに番組表を表示させる操作を行った場合、電源オフ直前に視聴していたチャンネルと電源オン時にユーザが視聴したいチャンネルが一致していたなら、一端番組表を表示する事がわずらわしく感じてしまう。そこで本考案は、電源オン時においてユーザの嗜好番組の放送時間内であればその嗜好番組を表示し、嗜好番組の放送時間内でなければ番組表を表示することで、番組視聴の操作時間短縮と操作の簡略化による利便性の向上を図っている。
【００２７】
図１は、本考案の電子機器１３の実施例におけるブロック図であり、同図で示すように、受信部１と、デコーダ２、制御部３、番組情報処理部４、番組表生成部５、測定部６、嗜好番組判断部７、表示制御部８、比較部９、リモコン操作部１０、記憶部１１、表示部１２で構成される。
【００２８】
リモコン操作部１０は、視聴する番組のチャンネル切り替え操作や番組表３０の表示操作、番組表３０の番組枠を色分けして強調表示したカーソルを番組表３０にて移動させる移動操作、電子機器１３の電源オン、オフの操作等が可能であり、各操作に応じて信号を送出する。制御部３はリモコン操作部１０から送信された信号を判別し操作に応じて電子機器１３の各動作、各処理等の制御を行っている。
【００２９】
受信部１は、アンテナ等を介して放送信号を受信し、受信された放送信号は各チャンネルに選局され、選局された各チャンネルは、その周波数とともにメモリ等の記憶部１１に記憶される。
【００３０】
デコーダ２は、受信部１で受信した放送信号を複調して、圧縮符号化された複数の番組の映像と音声、及び番組情報等の信号が多重化されたトランスポートストリーム（Ｔｒａｎｓｐｏｒｔ  Ｓｔｒｅｅｍ：以下ＴＳ）信号を生成する。そしてデコーダ２はこのＴＳ信号から選局済チャンネルの番組の映像信号と音声信号、番組情報を分離抽出し、番組情報を番組情報処理部４に出力する。
【００３１】
制御部３は、リモコン操作部１０から送信され受光部１４からの信号を判別し操作に応じて電子機器１３の各動作、各処理等の制御を行っている。本考案における受信部１、デコーダ２の各制御や以下に示す、番組情報処理部４、番組表生成部５、測定部６、嗜好番組判断部７、表示制御部８、比較部９、記憶部１１等の各制御を行っている。
【００３２】
番組情報処理部４は、受信された全てのチャンネルの番組情報を抽出し、Ｅｖｅｎｔ  Ｉｎｆｏｒｍａｔｉｏｎ  Ｔａｂｌｅ（以下ＥＩＴ）情報を抽出する。ＥＩＴはチャンネルの番組内容、放送の開始時刻と終了時刻間等の日時、タイトルや出演者等の番組に関する情報である。他に現在時刻情報であるＴＤＴ（Ｔｉｍｅ  ａｎｄ  Ｄａｔｅ  Ｔａｂｌｅ）情報等も存在する。
【００３３】
番組表生成部５は、リモコン操作部１０にて番組表３０の表示操作が行われると、全てのチャンネルを順次受信し、放送信号に含まれる番組情報であるＥＩＴを取得し、ＥＩＴに含まれる情報の各チャンネルと番組の番組名や放送時間を対応付けて番組表３０を生成する。
【００３４】
測定部６は、電子機器１３の電源オン時、ラストチャンネルメモリのチャンネルである現在受信しているチャンネル番組を認識し、その番組の視聴回数をカウントする。またその番組の視聴時間も測定し累積していく。この視聴回数と視聴時間は嗜好番組テーブル７０を生成して記憶部１１に記憶する。この嗜好番組テーブル７０は受信可能な全てのチャンネル毎に記憶され、視聴回数７４と視聴時間７５の累積については、電子機器１３を使用する期間を設定しデータを累積してもよいし、使用開始から電源オンし電源オフされる毎に視聴回数と視聴時間を累積してもよい。
【００３５】
嗜好番組判断部７は、測定部６で生成された嗜好番組テーブル７０を参照して、その累積された結果から、各チャンネルの番組において、視聴回数７４と視聴時間７５で各々設定された閾値を超える視聴回数の多い番組、視聴時間の長い番組をユーザの嗜好番組として判断し、嗜好番組フラグ７７をオンさせることで嗜好番組と設定される。嗜好番組フラグ７７のオン／オフの結果は嗜好番組テーブル７０に記憶しておけば、電源オン時に嗜好フラグの状態を確認するだけで嗜好番組が判断出来、フラグがオンであれば嗜好番組であり、フラグがオフであれば嗜好番組ではない。嗜好番組テーブル７０は視聴回数７４や視聴時間７５の多い順にランク付けも可能であり、多い順に嗜好番組テーブル７０を並び替えることも可能である。この嗜好番組判断部７の嗜好番組の判断は電子機器１３の電源オフ時に次回の電源オンまでに生成する。従って、嗜好番組の判断は電源オン前までの嗜好番組テーブル７０を参照することになるが、電源オン時に記憶部１１から視聴回数及び視聴時間を読み出し、表示された番組も視聴回数に累積して嗜好番組テーブル７０を生成し、その嗜好番組テーブル７０を参照してもよい。視聴回数７４及びまたは視聴時間７５の閾値によって嗜好番組を判断しているが、閾値を設定せず単に各時刻で視聴回数の多い番組や視聴時間の長い番組を嗜好番組とする事も可能である。
【００３６】
表示制御部８は、比較部９からの比較結果によって、電源オン時に嗜好番組を表示するか、番組表３０を表示するかの制御を行う。またデコーダ２から出力された映像信号に、番組表生成部５で生成された番組表３０や、チャンネル番号、メニュ表示等のオンスクリーン（Ｏｎ  Ｓｃｒｅｅｎ  Ｄａｔａ：以下ＯＳＤ）表示を重ねて表示部１２に表示する制御も行う。
【００３７】
比較部９は、電子機器１３がリモコン操作部１０の操作によって電源オンされた場合、嗜好番組判断部７が入手した電源オン時の時刻情報と嗜好番組の放送時刻を比較し、電源オン時の時刻情報が放送中か否かを判断する。
【００３８】
ここで表示制御部８と比較部９の動作について説明する。電子機器１３の電源オン時に、先ず嗜好番組判断部７が番組情報処理部４より現在の時刻情報を入手し、嗜好番組テーブル７０に嗜好番組フラグ７７がオンの嗜好番組が有るかを判断する。嗜好番組が有ればその嗜好番組の放送時間の情報と入手した電源オン時の時刻情報を比較部９にて比較する。そして時刻情報が嗜好番組の放送中であれば、嗜好番組判断部７は、電源オン時の番組が嗜好番組であると判断し、その判断結果を表示制御部８に伝達する。放送時間とは番組の開始時刻から終了時刻までの時間帯を示す。従って放送時間内とは番組の開始時刻から終了時刻までの間の時間を示す。表示制御部８はその伝達された結果により嗜好番組を表示する。しかし、嗜好番組の有無の判断において嗜好番組が無い場合や、また嗜好番組は有るが、比較部９の比較結果により電源オン時の時刻情報が嗜好番組の放送時間内でない場合、嗜好番組判断部７はどちらも電源オン時の番組が嗜好番組ではないと判断し、その判断結果を表示制御部８に伝達する。表示制御部８はその伝達された結果により番組表３０を表示する。
【００３９】
記憶部１１は、図７で示す嗜好番組テーブル７０を記憶する。嗜好番組テーブル７０には嗜好番組に関する情報としてチャンネル番号７１、放送時間７３、視聴回数７４、視聴時間７５、嗜好番組フラグ７７等が記憶される。また番組表３０や選局済のチャンネル、映像調整等の各調整値やユーザの設定値、電子機器１３の初期設定等も記憶している。
【００４０】
表示部１２は、液晶、プラズマ、有機ＥＬ、ブラウン管等の表示装置や記録再生装置との一体型表示装置、外部接続機器等、映像表示が可能な電子機器であれば何でもよい。
【００４１】
図５は、実施例における電源オン時に嗜好番組を表示した場合、番組表３０を表示した場合を示し、図６は、メニュ６０に電源オン時の表示切り替え設定を可能とする表示モードの項目とその設定方法を示す。この表示モードをオンにすれば図５で示すような電源オン時に嗜好番組または番組表３０を表示する表示モードが設定でき、表示モードをオフにすれば図４で示すように電源オン時は電源オフ直前に視聴していたチャンネルの番組を表示するモードとなる。また表示モードオン／オフの設定以外に視聴回数７４や視聴時間７５を測定し累積する期間の設定も行え、期間を１週間若しくは１ヶ月と設定出来、例えば１週間と設定すれば、設定した日または任意の指定日から設定期間の１週間における番組の視聴回数７４や視聴時間７５を測定する。ユーザが電子機器１３を電源オン操作で電源オンし、チャンネルを選択し、選択したチャンネルの番組を視聴する毎に、番組毎の視聴回数７４及びまたは視聴時間７５を測定し、累積していく。この視聴回数７４と視聴時間７５は嗜好番組テーブル７０に記憶され、この嗜好番組テーブル７０は記憶部１１に記憶される。さらに嗜好番組の閾値が設定可能であり、例えば、視聴回数１０回、視聴時間１０時間と設定する。この閾値も嗜好番組テーブル７０に記憶され、電子機器１３の電源オン時に嗜好番組判断部７が閾値を超えた番組を嗜好番組と判断し、電源オン時の時刻情報と嗜好番組の放送時間を比較し、放送時間内であれば嗜好番組を表示し、放送時間内でない場合と嗜好番組が無い場合に番組表３０を表示する。嗜好番組の判断は電子機器１３の電源オフの期間中に行っておけばよい。
【００４２】
図７の嗜好番組テーブル７０について詳細を説明する。嗜好番組テーブル７０は嗜好番組のチャンネル７１、嗜好番組の番組名７２、嗜好番組の放送時間７３、視聴回数７４、視聴時間７５、ランク７６、嗜好番組フラグ７７、嗜好番組設定値７８の各データで構成され、嗜好番組のチャンネル７１や番組名７２、放送時間７３等は番組情報処理部４より入手可能である。視聴回数７４や視聴時間７５は測定部６で測定し累積される。
【００４３】
ランク７６は、最も多い視聴回数７４と視聴時間７５からユーザの嗜好が高いと判断した番組から順にランク付けを行う。このランク付けによってランクの順に嗜好番組テーブル７０を構成し、嗜好番組の判断に利用してもよい。ランク７６の付加方法についても、視聴回数７４の最も多い番組や視聴時間７５の最も長い番組、または視聴回数７４と視聴時間７５を組み合わせて両方で上位にランクされる番組、予約回数の多い番組等適宜変更可能であり、ユーザの使用態様にあわせて選択する方法でもよい。
【００４４】
嗜好番組フラグ７７は、視聴回数７４及びまたは視聴時間７５の閾値を超えて嗜好番組と判断された番組がフラグオンされる。電源オン時にこの嗜好番組フラグ７７のオン／オフ確認だけで嗜好番組を判断可能とする為、嗜好フラグが設定される。フラグがオンであれば嗜好番組と判断し、その放送時間を入手し、フラグがオフであれば嗜好番組でないと判断が直ぐに行え、電源オン時において視聴回数７４及びまたは視聴時間７５を参照して嗜好番組の判断から行わなくてよい。
【００４５】
視聴回数７４及びまたは視聴時間７５が測定されると嗜好番組テーブル７０にその視聴回数７４と視聴時間７５が記憶されるが、嗜好番組判断部７がその記憶された視聴回数７４及びまたは視聴時間７５により嗜好番組を判断すると、制御部３より嗜好番組のチャンネルを判断し、番組情報処理部４から判断したチャンネルの番組名、放送時間等の各情報を入手し嗜好番組テーブル７０に記憶しておく。そうすれば電源オン時の時刻情報と放送時間７３の比較が可能であり、嗜好番組のチャンネル７１も記憶している為、嗜好番組テーブル７０の参照だけで、迅速なチャンネル切り替えが可能となる。
【００４６】
嗜好番組設定値７８は、嗜好番組を判断する為の閾値が記憶される。閾値の設定は、図６で示すようにユーザがメニュ６０の項目を選択し設定する。設定値は視聴回数７４と視聴時間７５で各々設定され記憶されるが、ユーザが設定しない場合、初期値を設定しておけばよい。閾値の設定について、放送時間毎に最も多い視聴回数７４及びまたは視聴時間７５の番組を嗜好番組と判断してしまうと、全ての時間で電源オン時には嗜好番組が表示されてしまう。すなわち、放送時間によっては、視聴回数７４及びまたは視聴時間７５が多くても他の放送時間より少なく嗜好番組でない場合があり、その場合は番組表３０を表示させる為に閾値を設定し閾値を超えた番組を嗜好番組としている。
【００４７】
以上のように電源オン入時に嗜好番組を表示するか、番組表３０を表示するかを、ユーザの電子機器１３の使用態様によって設定出来る為、番組視聴開始の時間短縮や操作の簡略化による利便性の向上が図れる。
【００４８】
図８は、本考案の実施例におけるフローチャート図である。同図に示すように、電源操作によって電源オン（ｓ−１）されると、番組情報処理部４から現在の時刻情報を入手する（ｓ−２）。そして嗜好番組テーブルを参照し（ｓ−３）、嗜好番組の有無を確認する（ｓ−４）。嗜好番組が有れば（ｓ−４：Ｙｅｓ）、その嗜好番組の嗜好番組テーブルの放送時間を入手し（ｓ−５）、電源オン時の時刻情報と放送時間を比較する（ｓ−６）。比較の結果、時刻情報が放送時間内であれば（ｓ−７：Ｙｅｓ）、電源オン時に嗜好番組有りとして嗜好番組を表示する（ｓ−８）。時刻情報が放送時間内でない（ｓ−７：Ｎｏ）場合と、嗜好番組が無い場合（ｓ−４：Ｎｏ）、番組表を表示する（ｓ−９）。番組表の表示後はユーザが希望するチャンネルが選択され表示される（ｓ−１０）。これにより、電源オン時に嗜好番組か否かを判断し、嗜好番組が有れば嗜好番組を表示し、嗜好番組が無ければ番組表を表示され、ユーザはそのまま番組視聴するか、番組表で希望の番組を選択するだけでよい。尚、電源オン時、嗜好番組を表示した場合も、番組表が表示され、希望のチャンネルを選択した場合も今後の嗜好番組の判断の為の視聴回数及びまたは視聴時間を測定し記憶しておけばよい（ｓ−１１）。
【００４９】
なお、本考案の電子機器において、嗜好番組判断の方法や嗜好番組や番組表の表示方法は適宜変更可能であり、本実施例に限定するものではなく、本考案の主旨に反しない範囲において適宜選定すればよい。
【符号の説明】
【００５０】
１  受信部
２  デコーダ
３  制御部
４  番組情報処理部
５  番組表生成部
６  測定部
７  嗜好番組判断部
８  表示制御部
９  比較部
１０  リモコン操作部
１１  記憶部
１２  表示部
１３  電子機器
３０  番組表
６０、６１  メニュ
７０  嗜好番組テーブル
７１  チャンネル
７２  番組名
７３  放送時間
７４  視聴回数
７５  視聴時間
７７  嗜好番組フラグ
７８  嗜好番組設定値